(57)【特許請求の範囲】
【請求項１】
水と、（Ａ）成分として、下記一般式（１）
【化１】
0003753398.tif 000007
（式中、Ｒ1〜Ｒ３はそれぞれ独立して炭化数１〜４のアルキル基、Ｒ４は炭化水素基を表し、Ｘは対イオン原子又は対イオン原子団を表し、ｍは１〜５００を表す）で表されるポリエーテル４級アンモニウム塩、
（Ｂ）成分としてアニオン界面活性剤、および
（Ｃ）成分として非イオン界面活性剤（ただし、エチレンオキサイドとプロピレンオキサイドのランダム共重合によるアルキレンオキサイド鎖を持つ非イオン界面活性剤を除く。）と
を含有してなる台所用、衣料用又は身体用液体洗浄剤組成物。
【請求項２】
（Ｒ4−Ｏ）が、エチレンオキサイド、プロピレンオキサイド、又はエチレンオキサイド及びプロピレンオキサイドのブロック共重合若しくはランダム共重合により構成されたアルキレンオキサイド鎖である請求項１に記載の台所用、衣料用又は身体用液体洗浄剤組成物。
【請求項３】
更に、（Ｄ）成分としてアミンオキサイド系界面活性剤を含有する請求項１または２に記載の台所用、衣料用又は身体用液体洗浄剤組成物。
【請求項４】
（Ａ）成分、（Ｂ）成分及び他の洗浄成分の合計量が、組成物全量に対して３０重量％以上である請求項１ないし３のいずれか１項に記載の台所用、衣料用又は身体用液体洗浄剤組成物。
【発明の詳細な説明】
【０００１】
【発明の属する技術分野】
本発明は台所用、衣料用又は身体用液体洗浄剤組成物に関する。
【０００２】
【従来の技術】
従来、１分子内にポリエーテル鎖及びカチオン性４級アンモニウム基を有するポリエーテル４級アンモニウム塩は、他のカチオン性界面活性剤と同様、頭髪に優れたコンディショニング効果を与える界面活性剤として知られていた。
【０００３】
例えば、特開平３―２２７９１２号公報は、両性界面活性剤及びポリエーテル４級アンモニウム塩を必須成分として含み、更にポリジアルキルジメチルアンモニウム塩を含んでもよい頭髪用シャンプー組成物を開示する。又、特開平４―１８０１３号公報は、アルキル硫酸（塩）又は石鹸及びポリエーテル４級アンモニウム塩を含む頭髪用シャンプー組成物を開示する。同様に、特開平４―１８０１４号公報は、種々のアニオン性界面活性剤及びポリエーテル４級アンモニウム塩を含む頭髪用シャンプー組成物を開示する。更に、特開平８―１９８７３１号公報は、４級アンモニウム塩及びポリエーテル４級アンモニウム塩を含む毛髪処理用組成物（頭髪用リンス剤）を開示する。これらは、いずれもポリエーテル４級アンモニウム塩の頭髪に対するコンディショニング効果に注目した例であり、従来このようなポリエーテル４級アンモニウム塩は頭髪用洗浄剤としてしか使用できないものとされていた。
【０００４】
一方、台所用、衣料用、身体用等の液体状の洗浄剤は、移送、配合、充填等の工程における取り扱いの点から、低温においても十分な流動性を有していることが望まれている。しかし、近年の液体洗浄剤においては、組成物中に占める界面活性剤又は洗浄成分が４０重量％を超えるようないわゆる濃縮型液体洗浄剤が好まれる傾向がある。いわゆる濃縮型液体洗浄剤における最大の問題点は、低温における流動性が確保できるか否かである。一般に液体洗浄剤組成物は界面活性剤の濃度が２０重量％を超えるとゲル化し易くなり、低温における流動性はほとんど無くなるといわれている。
【０００５】
低温における流動性を改善した例としては、特開平７―３０３８２５号公報に見られる。特開平７―３０３８２５号公報には、炭素数８〜１８の直鎖飽和アルコールに酸化エチレン及び酸化プロピレンをランダム状に付加させた非イオン界面活性剤により、低温における流動性を改善した技術が開示されている。又、特開平８―１６５５００号には、同じく炭素数８〜１８の直鎖飽和アルコールに酸化エチレン及び酸化プロピレンをランダム状に付加させた非イオン界面活性剤に、ジエタノールアミンの脂肪酸アミド及びアミンオキサイドを配合した非イオン界面活性剤のみからなる液状の洗浄剤組成物が開示されている。
【０００６】
【発明が解決しようとする課題】
しかし、特開平７―３０３８２５号公報や特開平８―１６５５００号公報に開示される非イオン界面活性剤によって低温流動性を改善する技術では、様々な配合を採る液体洗浄剤の分野では対応できない配合も存在する。当然のことながら、液体洗浄剤の業界でも上記のような非イオン界面活性剤以外にも低温流動性を改善できる界面活性剤が求められている。
【０００７】
【課題を解決するための手段】
そこで本発明者らが鋭意検討した結果、前記ポリエーテル４級アンモニウム塩は頭髪に対するコンディショニング効果とは全く異質な性能である、界面活性剤含有水溶液の流動性、特に低温における流動性を改善し、ゲル化を防止することができる性能をもっていることを発見した。しかも、ポリエーテル４級アンモニウム塩にはアニオン界面活性剤が皮膚に与える刺激性を緩和する効果も併せもつことをも発見し、前記ポリエーテル４級アンモニウム塩をシャンプー以外の洗浄用途に展開できる旨の結論に到達した。
【０００８】
即ち本発明は、水と、（Ａ）成分として、下記一般式（１）
【０００９】
【化２】
0003753398.tif 000002
【００１０】
（式中、Ｒ1〜Ｒ３はそれぞれ独立して炭化数１〜４のアルキル基、Ｒ４は炭化水素基を表し、Ｘは対イオン原子又は対イオン原子団を表し、ｍは１〜５００を表す）で表されるポリエーテル４級アンモニウム塩、（Ｂ）成分としてアニオン界面活性剤、および
（Ｃ）成分として非イオン界面活性剤（ただし、エチレンオキサイドとプロピレンオキサイドのランダム共重合によるアルキレンオキサイド鎖を持つ非イオン界面活性剤を除く。）とを含有してなる台所用、衣料用又は身体用液体洗浄剤組成物を提供するものである。
【００１１】
【発明の実施の形態】
本発明の（Ａ）成分は、一般式（１）で表わされるポリエーテル４級アンモニウム塩である。一般式（１）において、Ｒ1〜Ｒ3はアルキル基を表す。Ｒ1〜Ｒ3は互いに同一でも異なっていてもよい。
【００１２】
アルキル基としては例えば、メチル、エチル、プロピル、イソプロピル、ブチル、イソブチル、ターシャリブチル等が挙げられる。
【００１６】
但し、アルキル基であっても鎖長があまりに長いと低温流動性改善効果が低下してしまうため、炭素数１〜４のアルキル基である。
【００１７】
又、一般式（１）において、Ｒ4は炭化水素基を表す。（Ｒ4―Ｏ）としてはエチレンオキサイド、プロピレンオキサイド、又はエチレンオキサイド及びプロピレンオキサイドのブロック共重合若しくはランダム共重合により構成されたアルキレンオキサイド鎖であることが好ましく、エチレンオキサイド及びプロピレンオキサイドのブロック共重合又はプロピレンオキサイドの単独重合がより好ましい。
【００１８】
又、一般式（１）において、Ｘは４級化の際の対イオン原子又は対イオン原子団を表す。例えば塩素原子、臭素原子、よう素原子等のハロゲン原子、メチル硫酸基、エチル硫酸基等が挙げられる。重合度ｍは１〜５００を表し、好ましくは１〜１００、更に好ましくは５〜８０である。
【００１９】
一般式（１）で表わされるポリエーテル４級アンモニウム塩は、通常モノエタノールアミン又はモノプロパノールアミンにアルキレンオキサイドを付加させたものをアルキル化し４級化するか、アルキル置換モノエタノールアミン又はアルキル置換モノプロパノールアミンにアルキレンオキサイドを付加させたものを必要に応じてアルキル化し、４級化することにより得ることができ、通常は４級化の際に使用した４級化剤によりＸが決定する。４級化剤としては例えば塩化メチル、塩化エチル、塩化プロピル、ジメチル硫酸、ジエチル硫酸等が挙げられる。
【００２０】
本発明の（Ａ）成分である一般式（１）で表わされるポリエーテル４級アンモニウム塩の配合量は特に限定されないが、あまりに少ないと洗浄剤組成物の流動性が悪くなってゲル化しやすくなり、又、併用するアニオン界面活性剤が皮膚に与える刺激を低下させることができなくなり、あまりに多いと他の成分の配合が難しくなり、又ゲル化しやすくなるので、好ましくは組成物全量に対して０．０５〜２０重量％、より好ましくは０．１〜１５重量％、更に好ましくは０．５〜１０重量％である。
【００２１】
本発明の（Ｂ）成分であるアニオン界面活性剤は通常知られているアニオン界面活性剤であれば特に限定されない。例えば、アルコールエーテル硫酸エステル塩（ＡＥＳ）、アルキルベンゼンスルホン酸塩（ＡＢＳ）、α―オレフィンスルホン酸塩（ＡＯＳ）、α―オレフィン硫酸エステル塩、アルコール硫酸エステル塩（ＡＳ）、脂肪酸塩（セッケン）、硫酸化油、アシル化タウリン塩、スルホコハク酸エステル塩、スルホコハク酸ポリオキシアルキレンエステル塩、アシル化イセチオン酸塩、アシルアミノ酸塩、アシル化ペプチド塩等が挙げられる。
【００２２】
アルコールエーテル硫酸エステル塩としては例えば、ラウリルアルコールエチレンオキサイド（ＥＯ）２〜５モル付加物の硫酸エステルナトリウム、カリウム又はアンモニウム塩、ミリスチルアルコールエチレンオキサイド（ＥＯ）２〜５モル付加物の硫酸エステルナトリウム、カリウム又はアンモニウム塩、セチルアルコールＥＯ２〜５モル付加物の硫酸エステルナトリウム、カリウム又はアンモニウム塩、ステアリルアルコールＥＯ２〜５モル付加物の硫酸エステルナトリウム、カリウム又はアンモニウム塩、オレイルアルコールＥＯ２〜５モル付加物の硫酸エステルナトリウム、カリウム又はアンモニウム塩、ヤシ油由来アルコールＥＯ２〜５モル付加物の硫酸エステルナトリウム、カリウム又はアンモニウム塩、牛脂由来アルコールＥＯ２〜５モル付加物の硫酸エステルナトリウム、カリウム又はアンモニウム塩等のアルコールエーテル硫酸エステル塩等が挙げられる。
【００２３】
アルキルベンゼンスルホン酸塩としては例えばテトラプロピレンベンゼンスルホン酸ナトリウム、カリウム又はアンモニウム塩、ノニルベンゼンスルホン酸ナトリウム、カリウム又はアンモニウム塩、ドデシルベンゼンスルホン酸ナトリウム、カリウム又はアンモニウム塩等が挙げられる。
【００２４】
α―オレフィンスルホン酸塩としては例えば、炭素数１０〜１８のα―オレフィンのスルホン酸ナトリウム、カリウム又はアンモニウム塩等が挙げられる。
【００２５】
α―オレフィン硫酸エステル塩としては例えば、炭素数１０〜１８のα―オレフィンの硫酸エステルナトリウム、カリウム又はアンモニウム塩等が挙げられる。
【００２６】
アルコール硫酸エステル塩としては例えば、ラウリルアルコール硫酸エステルナトリウム、カリウム又はアンモニウム塩、ミリスチルアルコール硫酸エステルナトリウム、カリウム又はアンモニウム塩、セチルアルコール硫酸エステルナトリウム、カリウム又はアンモニウム塩、ステアリルアルコール硫酸エステルナトリウム、カリウム又はアンモニウム塩、オレイルアルコール硫酸エステルナトリウム、カリウム又はアンモニウム塩、ヤシ油由来アルコール硫酸エステルナトリウム、カリウム又はアンモニウム塩、牛脂由来アルコール硫酸エステルナトリウム、カリウム又はアンモニウム塩等が挙げられる。
【００２７】
脂肪酸塩としては例えば、カプリン酸ナトリウム又はカリウム塩、ラウリン酸ナトリウム又はカリウム塩、ミリスチン酸ナトリウム又はカリウム塩、パルミチン酸ナトリウム又はカリウム塩、ステアリン酸ナトリウム又はカリウム塩、オレイン酸ナトリウム又はカリウム塩、エルカ酸ナトリウム又はカリウム塩、リノール酸ナトリウム又はカリウム塩、リノレン酸ナトリウム又はカリウム塩、アマニ油、オリーブ油、カカオ脂、ゴマ油、コメヌカ油、サフラワー油、大豆油、ツバキ油、コーン油、ナタネ油、パーム油、パーム核油、ひまし油、ひまわり油、綿実油、ヤシ油、牛脂、豚脂、乳脂、魚油、鯨油等天然油脂由来の脂肪酸のナトリウム又はカリウム塩等が挙げられる。
【００２８】
硫酸化油としては例えばアマニ油、オリーブ油、カカオ脂、ゴマ油、コメヌカ油、サフラワー油、大豆油、ツバキ油、コーン油、ナタネ油、パーム油、パーム核油、ひまし油、ひまわり油、綿実油、ヤシ油、牛脂、豚脂、乳脂、魚油、鯨油等の天然油脂の硫酸ナトリウム、カリウム又はアンモニウム塩などが挙げられる。
【００２９】
アシル化タウリン塩としては例えば、Ｎ―ラウロイル−Ｎ―メチルタウリンナトリウム、カリウム又はアンモニウム塩、Ｎ―ミリストイル−Ｎ―メチルタウリンナトリウム、カリウム又はアンモニウム塩、Ｎ―パルミトイル−Ｎ―メチルタウリンナトリウム、カリウム又はアンモニウム塩、Ｎ―ステアロイル−Ｎ―メチルタウリンナトリウム、カリウム又はアンモニウム塩、Ｎ―オレイル−Ｎ―メチルタウリンナトリウム、カリウム又はアンモニウム塩、ヤシ油由来脂肪酸―Ｎ―メチルタウリン縮合物のナトリウム、カリウム又はアンモニウム塩、牛脂由来脂肪酸―Ｎ―メチルタウリン縮合物のナトリウム、カリウム又はアンモニウム塩等が挙げられる。
【００３０】
スルホコハク酸エステル塩又はスルホコハク酸ポリオキシアルキレンエステル塩としては例えば、スルホコハク酸（ポリオキシエチレン）２―エチルヘキシル（ハーフ）エステルのナトリウム、カリウム又はアンモニウム塩、スルホコハク酸（ポリオキシエチレン）デシル（ハーフ）エステルのナトリウム、カリウム又はアンモニウム塩、スルホコハク酸（ポリオキシエチレン）ドデシル（ハーフ）エステルのナトリウム、カリウム又はアンモニウム塩、スルホコハク酸（ポリオキシエチレン）セチル（ハーフ）エステルのナトリウム、カリウム又はアンモニウム塩、スルホコハク酸（ポリオキシエチレン）ステアリル（ハーフ）エステルのナトリウム、カリウム又はアンモニウム塩、スルホコハク酸（ポリオキシエチレン）オレイル（ハーフ）エステルのナトリウム、カリウム又はアンモニウム塩等が挙げられる。
【００３１】
アシル化イセチオン酸塩としては例えば、ラウロイルイセチオン酸ナトリウム、カリウム又はアンモニウム塩、ミリストイルイセチオン酸ナトリウム、カリウム又はアンモニウム塩、パルミトイルイセチオン酸ナトリウム、カリウム又はアンモニウム塩、ステアロイルイセチオン酸ナトリウム、カリウム又はアンモニウム塩、オレイルイセチオン酸ナトリウム、カリウム又はアンモニウム塩、ヤシ油由来脂肪酸イセチオン酸縮合物のナトリウム、カリウム又はアンモニウム塩、牛脂由来脂肪酸イセチオン酸縮合物のナトリウム、カリウム又はアンモニウム塩等が挙げられる。
【００３２】
アシルアミノ酸塩としては例えばグリシン、サルコシン、アラニン、バリン、ロイシン、イソロイシン、セリン、トレオニン、システイン、メチオニン、アスパラギン、アスパラギン酸、グルタミン、グルタミン酸、リシン、アルギニン、フェニルアラニン、チロシン等のアミノ酸とカプリン酸、ラウリン酸、ミリスチン酸、パルミチン酸、ステアリン酸、オレイン酸、エルカ酸、リノール酸、リノレン酸、ヤシ油由来脂肪酸、牛脂由来脂肪酸等の縮合物のナトリウム又はカリウム塩等が挙げられる。
【００３３】
アシル化ペプチド塩としては例えばシルク、コラーゲン、ゼラチン、ケラチン、絹フィブロイン、カゼイン、アルブミン、グロブリン、植物蛋白等を酸、アルカリ又は酵素等により加水分解して得られたポリペプチドをカプリン酸、ラウリン酸、ミリスチン酸、パルミチン酸、ステアリン酸、オレイン酸、エルカ酸、リノール酸、リノレン酸、ヤシ油由来脂肪酸、牛脂由来脂肪酸等でアシル化した縮合物のナトリウム又はカリウム塩等が挙げられる。
【００３４】
これらのなかでも洗浄力の点からアルコールエーテル硫酸エステル塩（ＡＥＳ）、アルキルベンゼンスルホン酸塩（ＡＢＳ）、α―オレフィンスルホン酸塩（ＡＯＳ）、アルコール硫酸エステル塩（ＡＳ）、脂肪酸塩（セッケン）が好ましい。
【００３５】
本発明の（Ｂ）成分であるアニオン界面活性剤の配合量は特に限定されないが、あまりに少ないと洗浄力が十分でなくなり、あまりに多いとゲル化しやすくなるので、好ましくは組成物全量に対して０．２〜５０重量％、より好ましくは０．５〜４０重量％、更に好ましくは１〜３０重量％である。
【００３６】
本発明の洗浄剤組成物は、上記（Ａ）及び（Ｂ）成分のみでも十分な洗浄力及び低温流動性を備え、且つ、皮膚に対する刺激性も低いが、更に以下の（Ｃ）成分を添加すると流動性、洗浄力等が向上する。
【００３７】
本発明の（Ｃ）成分である非イオン界面活性剤は通常知られている非イオン界面活性剤であれば特に限定されない。例えば、アルコールアルキレンオキサイド（以下、ＡＯ）付加物、アルキルフェノールＡＯ付加物、脂肪酸ＡＯ付加物、ポリオール脂肪酸エステルＡＯ付加物、アルキルアミンＡＯ付加物、脂肪酸アミドＡＯ付加物、油脂のＡＯ付加物、ポリプロピレングリコールエチレンオキサイド付加物、ポリオール脂肪酸エステル、アルカノールアミン脂肪酸アミド、アルキルポリグリコシド等が挙げられる。これらのなかでも、流動性及び洗浄力の面から、アルコールアルキレンオキサイド付加物、アルカノールアミン脂肪酸アミド及びアルキルポリグリコシドが好ましい。
【００３８】
アルコールアルキレンオキサイド付加物は、天然由来又は合成の飽和又は不飽和、１級又は２級、直鎖又は分枝鎖のアルコールにエチレンオキサイド、プロピレンオキサイド等を付加させたものである。アルコールとしては例えば、オクタノール、２−エチルヘキサノール、ノナノール、デカノール、ウンデカノール、ラウリルアルコール、トリデカノール、ミリスチルアルコール、パルミチルアルコール、セチルアルコール、ステアリルアルコール、オレイルアルコール、ヤシ油由来アルコール、パーム油由来アルコール、牛脂由来アルコールや、オキソアルコール、チーグラーアルコールと称される合成アルコール、パラフィンの酸化によって得られる２級アルコール等が挙げられる。これらのアルコールに、エチレンオキサイドを単独付加させるか、エチレンオキサイドとプロピレンオキサイドをブロック状に付加させて得られたアルコールアルキレンオキサイド付加物が好ましい。
【００３９】
アルカノールアミン脂肪酸アミドは、モノエタノールアミン、ジエタノールアミン、Ｎ―メチルエタノールアミン、モノプロパノールアミン、ジプロパノールアミン等のアルカノールアミンとラウリン酸、ミリスチン酸、パルミチン酸、ステアリン酸、オレイン酸、エルカ酸、リノール酸、リノレイン酸、アマニ油、オリーブ油、カカオ脂、ゴマ油、コメヌカ油、サフラワー油、大豆油、ツバキ油、コーン油、ナタネ油、パーム油、パーム核油、ひまし油、ひまわり油、綿実油、ヤシ油、牛脂、豚脂、乳脂、魚油、鯨油等の天然油脂から得られる脂肪酸等との縮合物であり、特にジエタノールアミンラウリルアミド、ジエタノールアミンヤシ脂肪酸アミドが好ましい。
【００４０】
アルキルポリグリコシドは、グルコース、フルクトース、ガラクトース、キシロース、マンノース、リキソース、アラビノース、マルトース、キシロビオース、イソマルトース、セロビオース、ゲンチビオース、ラクトース、スクロース、ニゲロース、ツラノース、ラフィノース、ゲンチアノース、メレジトース等の糖類をアルキル化したものであり、糖類としてはグルコースが好ましく、アルキル基としては炭素数８〜２２が好ましい。
【００４１】
本発明の（Ｃ）成分である非イオン界面活性剤の配合量は特に限定されないが、あまりに少ないと洗浄剤組成物の洗浄力及び起泡力が低下し、あまりに多いと他の成分の配合が難しくなり、又ゲル化しやすくなるので、好ましくは組成物全量に対して０．５〜３０重量％、より好ましくは１〜２５重量％、更に好ましくは３〜２０重量％である。
【００４２】
本発明の洗浄剤組成物は、上記（Ａ）、（Ｂ）、及び（Ｃ）成分のみでも十分な洗浄力、流動性、皮膚低刺激性を有するが、更に以下の（Ｄ）成分を添加すると洗浄力及び起泡力が向上する。
【００４３】
本発明の（Ｄ）成分はアミンオキサイド系界面活性剤である。アミンオキサイド系界面活性剤は一般的に洗浄剤として使用されているものであれば特に限定されない。アミンオキサイド系界面活性剤の窒素原子に置換する３つの置換基は、１つ以上は炭素数８〜２２のアルキル基が好ましい。アルキル基として例示できる基は上記と同様である。アミンオキサイド系界面活性剤としてはラウリルジメチルアミンオキサイド又はヤシジメチルアミンオキサイドが最も好ましい。
【００４４】
本発明の（Ｄ）成分であるアミンオキサイド系界面活性剤の配合量は特に限定されないが、あまりに少ないと洗浄剤組成物の洗浄力及び起泡力が低下し、あまりに多いと他の成分の配合が難しくなり、又ゲル化しやすくなるので、好ましくは組成物全量に対して０．１〜２０重量％、より好ましくは０．５〜１５重量％、更に好ましくは１〜１０重量％である。
【００４５】
本発明の洗浄剤組成物は、（Ａ）成分であるポリエーテル４級アンモニウム塩を含有するため流動性、特に低温での流動性に優れるので、界面活性剤を多量に含むいわゆる濃縮型洗浄剤とすることができる。本発明の洗浄剤組成物を濃縮型洗浄剤とする場合は、（Ａ）成分、（Ｂ）成分及び他の洗浄成分の合計量が、組成物全量に対して３０重量％以上、好ましくは３５重量％以上、より好ましくは３７重量%以上、更に好ましくは４０重量%以上になるように配合すればよい。尚、本発明の（Ｃ）成分及び（Ｄ）成分はここでいう洗浄成分に該当する。
【００４６】
本発明の洗浄剤組成物は、（Ａ）成分としてポリエーテル４級アンモニウム塩及び（Ｂ）成分としてアニオン界面活性剤を含有するため、流動性及び洗浄性に優れ、且つ皮膚に対する刺激が少ない。特に流動性に優れるため、いわゆる濃縮型洗浄剤とするのに適している。これらの効果は、特有の構造を有する（Ａ）成分及び（Ｂ）成分を併用したことにより奏される本発明の特有の効果である。
【００４７】
本発明の洗浄剤は台所用、衣料用又は身体用の洗浄剤である。台所用洗浄剤とは、家庭の台所やレストラン、食堂等の厨房において、使用済みの食器や調理器具、野菜類等の洗浄に使用される洗浄剤である。又、衣料用とは家庭での洗濯やクリーニング店等において繊維や衣類等の洗浄に使用される洗浄剤である。又、身体用洗浄剤とは入浴時に身体の清浄を目的として使用される洗浄剤である。
【００４８】
本発明の洗浄剤には、上記必須成分の他、任意成分として他の非イオン界面活性剤、アニオン界面活性剤、カチオン界面活性剤、両性界面活性剤、エチレングリコール、プロピレングリコール、ポリエチレングリコール、ポリアルキレングリコールアルキルエーテル、エタノール、パラトルエンスルホン酸等のハイドロトロープ剤、エチレンジアミン４酢酸塩（ＥＤＴＡ）、ヒドロキシエチルエチレンジアミントリ酢酸（ＨＥＤＴＡ）、ニトリロトリ酢酸（ＮＴＡ）、ジエチレントリアミンペンタ酢酸（ＤＴＰＡ）、Ｎ−ヒドロキシエチルイミノジ酢酸又はこれらの塩等のアミノカルボン酸類、クエン酸、グルコン酸、グリコール酸、酒石酸又はこれらの塩等のオキシカルボン酸類等の金属イオン封鎖剤、硫酸マグネシウム、硫酸ナトリウム（芒硝）、炭酸ナトリウム、重炭酸ナトリウム、炭酸カリウム、珪酸ナトリウム、珪酸カリウム等のアルカリビルダー、水酸化ナトリウム、香料、色素等を含有することができる。
【００４９】
【実施例】
以下、本発明を製造例及び実施例により更に具体的に説明する。尚、実施例中、部及び％については特に記載がない限り重量基準である。
【００５２】
ポリエーテル４級アンモニウム塩界面活性剤及びその他の成分を常法にて配合して本発明の液体洗浄剤組成物及び比較品を得、以下の試験にて性能を評価した。配合及び試験結果は下記の表の通りである（表中の配合割合の数値は％である）。尚、試験に用いた各成分は以下の通りである。
【００５３】
（Ａ）成分
ポリエーテル４級アンモニウム塩１：塩化ポリオキシエチレン（４モル）ポリオキシプロピレン（３０モル）メチルジエチルアンモニウム
ポリエーテル４級アンモニウム塩２：塩化ポリオキシプロピレン（２０モル）メチルジエチルアンモニウム
ポリエーテル４級アンモニウム塩３：塩化ポリオキシプロピレン（４０モル）メチルジエチルアンモニウム
【００５４】
（Ｂ）成分
アニオン界面活性剤１：ヤシ油由来脂肪酸ナトリウム塩
アニオン界面活性剤２：ミリスチルアルコール硫酸エステルナトリウム塩
アニオン界面活性剤３：ラウリルアルコール２モルエチレンオキサイド付加物硫酸エステルナトリウム塩
アニオン界面活性剤４：Ｃ10〜Ｃ14アルキルベンゼンスルホン酸ナトリウム塩アニオン界面活性剤５：Ｃ12〜Ｃ18α―オレフィンスルホン酸ナトリウム塩
アニオン界面活性剤６：ラウリン酸カリウム塩
アニオン界面活性剤７：オレイン酸カリウム塩
【００５５】
（Ｃ）成分
非イオン界面活性剤１：セチルアルコール１２モルエチレンオキサイド１０モルプロピレンオキサイドブロック付加物
非イオン界面活性剤２：ラウリルアルコール１０モルエチレンオキサイド３モルプロピレンオキサイドランダム付加物
非イオン界面活性剤３：ジエタノールアミンヤシ油由来脂肪酸アミド
非イオン界面活性剤４：Ｃ8〜Ｃ11アルキルポリグリコシド
非イオン界面活性剤５：Ｎ―メチルモノエタノールアミン８モルエチレンオキサイド付加物ヤシ油由来脂肪酸アミド
【００５６】
（Ｄ）成分
アミンオキサイド：ヤシアルキルジメチルアミンオキサイド
【００５７】
台所用液体洗浄剤及び衣料用液体洗浄剤の試験として、流動性試験、洗浄力試験及びタンパク変性率を測定した。身体用液体洗浄剤の試験は、台所用液体洗浄剤の試験で代用した。
＜流動性試験＞
本発明品及び比較品を２５℃及び―５℃の恒温槽に静置し、１４日後にその状態を観察した。透明均一液状であったものについてはＢ型粘度計にて２５℃及び−５℃における粘度を測定した。
＜洗浄力試験：台所用＞
ＪＩＳ―Ｋ―３３７０のリーナッツ洗浄力試験法に則った。即ち、牛脂１０ｇ、大豆油１０ｇ、クロロホルム６０ｍｌ及びオイルレッド０．１ｇの混合液中にスライドガラスを浸し汚染したスライドガラス１組（＝６枚）単位毎に、本発明品及び比較品の洗浄剤組成物を用いてリーナッツ洗浄力試験機による洗浄を行った。洗浄後のスライドガラス１組につきクロロホルム１００ｍｌにて残存汚垢を溶出させ、そのクロロホルム液について分光光度計にて吸光度を測定し、その結果から次式にて洗浄力を算出した。
【００５８】
【数１】
0003753398.tif 000003
【００５９】
＜洗浄力試験：衣料用＞
油化学３０（７）４３２〜４４１（１９８１）記載の湿式人工汚垢布法により洗浄力を測定した。
＜タンパク変性試験＞
０．０２５％の卵白アルブミン溶液９ｍｌに０．１％の洗剤水溶液１ｍｌを加えた直後のサンプルと、温度２５℃、４８時間保存後のサンプルの卵白変性アルブミン量を水系ゲルろ過クロマトグラフィーにて測定し、タンパク変性率を求めた。
【００６０】
【表１】
0003753398.tif 000004
【００６１】
【表２】
0003753398.tif 000005
【００６２】
【表３】
0003753398.tif 000006
【００６３】
【発明の効果】
本発明の効果は、新規な台所用、衣料用又は身体用液体洗浄剤組成物を提供したことにある。本発明によれば、従来の液体洗浄剤に比べて流動性及び皮膚刺激の少ない優れた台所用、衣料用又は身体用洗浄剤組成物を得ることができる。本発明の液体洗浄剤組成物は、特に濃縮型液体洗浄剤に好適な組成である。